(57)【要約】【課題】  施工性が良く、強度も十分で、意匠性の高い構造体を提供する。【解決手段】  支柱と、横材と、スペーサーを備え、支柱は、支柱本体とカバー材とからなり、支柱本体の下端は、ブロックの設置穴に挿入して固定してあり、カバー材は、ブロックより上部において、支柱本体に取り付けてあり、スペーサーは、支柱本体とカバー材の上端を覆い、横材は、スペーサー上部に取り付けてある。【選択図】      図１
2018119339.tif 000002
【特許請求の範囲】
【請求項１】
支柱と、横材と、スペーサーを備え、支柱は、支柱本体とカバー材とからなり、支柱本体の下端は、ブロックの設置穴に挿入して固定してあり、カバー材は、ブロックより上部において、支柱本体に取り付けてあり、スペーサーは、支柱本体とカバー材の上端を覆い、横材は、スペーサー上部に取り付けてあることを特徴とする構造体。
【請求項２】
支柱と、横材を備え、支柱は、支柱本体とカバー材とからなり、支柱本体の下端は、ブロックの設置穴に挿入して固定してあり、カバー材は、ブロックより上部において、支柱本体の少なくとも一側面を覆うことにより、支柱の断面を拡大させるものであり、横材は、支柱の上部に取り付けてあることを特徴とする構造体。
【発明の詳細な説明】
【技術分野】
【０００１】
本発明は、ブロック塀等に設置する構造体に関する。
【背景技術】
【０００２】
従来、ブロック塀の上などに設置される手摺等の構造体は、支柱の中空部内に補助材を取付け、補助材をブロックの穴に挿入し、モルタル等を充填して固定している。
【先行技術文献】
【非特許文献】
【０００３】
【非特許文献１】「ガーデンエクステリア施工手引き書  門まわり（３）（ＳＴＸ０３５８Ａ）」三協立山アルミ株式会社、２００８年１１月、ｐ．６９
【発明の概要】
【発明が解決しようとする課題】
【０００４】
このような手摺において、支柱は、長さを調整するために下部を切断した後、補助材を取付けるためのネジ穴を下端に設けなければならず、施工に手間が掛かっていた。また、ネジが露出するため、意匠性が良くなかった。支柱を細くした場合は、支柱の中空部内に挿入する補助材はさらに細くなるため、十分な強度が得られないという問題もあった。
本発明は上記実情に鑑み、施工性が良く、強度も十分で、意匠性の高い構造体を提供することを目的とする。
【課題を解決するための手段】
【０００５】
本発明のうち請求項１に記載の構造体は、支柱と、横材と、スペーサーを備え、支柱は、支柱本体とカバー材とからなり、支柱本体の下端は、ブロックの設置穴に挿入して固定してあり、カバー材は、ブロックより上部において、支柱本体に取り付けてあり、スペーサーは、支柱本体とカバー材の上端を覆い、横材は、スペーサー上部に取り付けてあることを特徴とする。
【０００６】
本発明のうち請求項２に記載の構造体は、支柱と、横材を備え、支柱は、支柱本体とカバー材とからなり、支柱本体の下端は、ブロックの設置穴に挿入して固定してあり、カバー材は、ブロックより上部において、支柱本体の少なくとも一側面を覆うことにより、支柱の断面を拡大させるものであり、横材は、支柱の上部に取り付けてあることを特徴とする。
【発明の効果】
【０００７】
本発明のうち請求項１の発明によれば、支柱本体の下端を、ブロックの設置穴に挿入できるので、補強材を必要とせず、施工性が良い。支柱は、露出部分にネジ穴を設けないため、意匠性が良い。また、支柱本体自体をブロックの設置穴に挿入することにより、設置穴内において断面積を広く確保できるので、十分な強度が得られる。カバー材は、ブロックより上部において、支柱本体に取り付けてあるため、ブロックの設置穴に立設しない支柱を組み合わせた際に、その支柱の断面とカバー材を取付けた支柱の断面が略同じ大きさに揃い、支柱の意匠を合わせることができる。そして、スペーサーが、支柱本体とカバー材の上端を覆うため意匠性が良い。
【０００８】
本発明のうち請求項２の発明によれば、支柱本体の下端を、ブロックの設置穴に挿入できるので、補強材を必要とせず、施工性が良い。支柱は、露出部分にネジ穴を設けないため、意匠性が良い。また、支柱本体自体をブロックの設置穴に挿入することにより、設置穴内において断面積を広く確保できるので、十分な強度が得られる。カバー材は、ブロックより上部において、支柱本体の少なくとも一側面を覆うことにより、支柱の断面を拡大させるものであるため、ブロックの設置穴に立設しない支柱を組み合わせた際に、その支柱の断面とカバー材を取付けた支柱の断面が略同じ大きさに揃い、支柱の意匠を合わせることができる。
【図面の簡単な説明】
【０００９】
【図１】構造体の側面図であり、図３のＡ−Ａ線断面図である。
【図２】構造体の一部を示す正面図である。
【図３】構造体の全体正面図である。
【図４】（ａ）はブロックに立設する支柱の横断面図、（ｂ）はブロックに立設しない支柱の横断面図、（ｃ）はブロックに立設する支柱の分解斜視図である。
【図５】支柱をブロックに挿入した状態で示す斜視図である。
【図６】スペーサーを示し、（ａ）は平面図、（ｂ）は側面図、（ｃ）は受け具とともに支柱に固定した状態を示す正面図である。
【図７】受け具を示し、（ａ）は平面図、（ｂ）は正面図、（ｃ）は側面図である。
【図８】連結具を示し、（ａ）は平面図、（ｂ）は正面図、（ｃ）は側面図である。
【発明を実施するための形態】
【００１０】
以下、本発明の実施の形態を図面に基づいて説明する。なお左右とは、図３のように、正面視した際の左右方向を示す。
本発明に係る構造体は、図１乃至図３に示すように、ブロック塀等のブロック１の上に設置するものであり、ブロック１の設置穴１ａに支柱２が間隔をあけて複数立設してあり、支柱２の上端には、スペーサー３と、受け具４及び連結具５を介して、横材６が架設してある。なお図３は、ブロック１の設置穴１ａに立設しない支柱Ｘを組み合わせた際の本発明を示す正面図である。
【００１１】
支柱２は、ブロック１の設置穴１ａに立設するものであり、図４（ａ）（ｃ）及び図５に示すように、支柱本体２１とカバー材２２とからなる。図４（ａ）（ｂ）に示すように、支柱２と、ブロック１に立設しない支柱Ｘの断面を比較すると、長辺及び短辺の長さは夫々略等しい。
支柱本体２１は、ブロック１の設置穴１ａに納まるほどの寸法であり、横断面の外形が略矩形の中空材である。中空内部には、上端に取り付けるスペーサー３と受け具４を固定するためのタッピングホールが設けてあり、支柱本体２１の外周の角には夫々、カバー材２２，２２を固定するための鉤状の被係合部２１ａと取付溝２１ｂが長手方向に亘って設けてある。
カバー材２２は、ブロック１より上部において、支柱本体２１の前側面及び後側面を覆うことにより、支柱２の断面を拡大させるものである。カバー材２２は、長手方向の寸法が支柱本体２１よりも短く、左右方向の外寸は支柱本体２１の左右方向の外寸と等しい。また、横断面略コ字形状に形成されており、両端部には向かい合う方向に突出する鉤状の係合部２２ａが、長手方向に亘って形成されている。カバー材２２を支柱本体２１の前側面及び後側面に取り付けた状態で、支柱２の左右の側面において、支柱本体２１とカバー材２２は面一である。
【００１２】
横材６は、図１に示すように、縦断面の外形が下向きの略Ｃ字形状をなす中空材であり、上面は上に凸の緩やかな円弧状に形成されている。支柱２が連結される下面中央部には長手方向に亘って、連結具５を取り付けるための連結具取付溝６ａと、連結具取付溝６ａの上部には裏板９を挿入するための裏板取付溝６ｂが形成されている。
【００１３】
スペーサー３は、支柱本体２１とカバー材２２の上端を覆う。図６（ａ）に示すように、支柱２の断面よりやや大きな矩形平板状であり、中央部には、後述する受け具４に設けたネジ穴４ａと支柱２のタッピングホールに対向する位置にネジ穴３ａが設けてある。
【００１４】
受け具４は、スペーサー３の上部にネジ止めされ、横材６に取り付けられた連結具５を支持して支柱２と横材６とを連結するものである。図７（ａ）に示すように、平面視するとスペーサー３よりやや小さい矩形であって、中央部には左右方向に亘って溝部４ｄが設けてあり、溝部４ｄの底部には、スペーサー３のネジ穴３ａに対向する位置にネジ穴４ａが設けてある。また、破線で示すように、受け具４の前側面において、左右方向の略中央には、連結具５を連結するための連結穴４ｂが前後方向に設けてある。図７（ｂ）に示すように正面視すると、連結具５を傾斜させて取り付けることができるよう、受け具４の上部は円弧状に形成されており、破線で示すように、溝部４ｄの下部は凹んだ円弧状に形成されている。側面視すると、図７（ｃ）に示すように、受け具４は溝部４ｄが上向きの開口を形成する略コ字形状である。
【００１５】
連結具５は、図８に示すように、横材６に固定される横材取付部５１と、受け具４に連結される連結部５２とからなる、正面視略Ｔ字状の部材である。横材取付部５１は、左右方向に伸びる平板状であり、見込方向の幅は横材６に設けた連結具取付溝６ａの内寸に略等しく、左右の端部には、横材６に固定するためのネジ穴５ａが上下方向に設けてある。連結部５２は、横材取付部５１の中央部から下方へ伸び、端部が円弧状に形成してあり、受け具４の連結穴４ｂに対応する連結穴５ｂが前後方向に亘って設けてある。連結部５２は、受け具４の溝部４ｄに挿入され、受け具４の連結穴４ｂから差し込まれたネジ８が、連結穴５ｂを挿通して連結具５に固定される。
【００１６】
次に、本構造体の施行手順を説明する。
まず、支柱本体２１の前側面及び後側面にカバー材２２，２２を取り付けて、支柱２を組み立てる。支柱本体２１のブロック１から露出する部分において、カバー材２２の係合部２２ａを、支柱本体２１の取付溝２１ｂへ嵌め込んで、カバー材２２の係合部２２ａと支柱本体２１の被係合部２１ａを係合させることによって、支柱本体２１の前側面及び後側面へカバー材２２が取り付けられる。支柱本体２１とカバー材２２との間に空間が形成されるため、支柱２の断面が拡大される。支柱２の上端には、スペーサー３を介して受け具４を取り付ける。詳しくは、図６（ｃ）に示すように、受け具４の上方からネジ７，７を差し込むと、ネジ７は受け具４のネジ穴４ａ及びスペーサー３のネジ穴３ａに挿通され、支柱本体２１のタッピングホールへ固定される。そして、組み立てた支柱２をブロック１の設置穴１ａに立設する。横材６は、裏板取付溝６ｂへ裏板９を挿入し、横材取付溝６ａへ連結具５の横材取付部５１を嵌め込む。裏板９を横材取付部５１の位置に合わせ、連結具５を裏板９とともにネジ止めすることにより、横材６に連結具５を取り付ける。次いで、連結具５の連結部５２を受け具４の溝部４ｄに挿入する。受け具４の連結穴４ｂへ差し込まれたネジ８は、連結具５の連結穴５ｂを挿通して、支柱２に横材６が連結される。
なお、連結具５及び裏板９が取り付けられていない部分の横材６の取付溝６ａ，６ｂには、図示しない目板を嵌め込むことができる。
【００１７】
このように構成した構造体によれば、支柱本体２１の下端を、ブロック１の設置穴１ａに挿入できるので、補強材を必要とせず、施工性が良い。支柱２の露出部分にネジ穴を設けないため、意匠性が良い。また、支柱本体２１自体をブロック１の設置穴１ａに挿入することにより、設置穴１ａ内において断面積を広く確保できるので、十分な強度が得られる
カバー材２２を、ブロック１より上部において支柱本体２１に取り付けることによって、本発明の構造体にブロック１の設置穴１ａに立設しない支柱Ｘを組み合わせた際に、支柱Ｘの断面とカバー材２２を取付けた支柱２の断面が略同じ大きさに揃い、支柱２，Ｘの意匠を合わせることができる。またカバー材２２は、支柱本体２１とカバー材２２との間に空間を形成し、支柱２の断面を拡大させるものであるため、他の部材と意匠を揃えることができる。さらに、カバー材２２の係合部２２ａと支柱本体２１の被係合部２１ａを係合させることによって、カバー材２２を支柱本体２１に取り付けるため、ネジ止めする手間が掛からず、意匠性も高い。
そして、スペーサー３が、支柱本体２１とカバー材２２の上端を覆うため、意匠性が良い。
【００１８】
本発明は、上記の実施形態に限定されない。例えば、上記実施形態例において、二つのカバー材は、支柱本体の前側面及び後側面の二面を覆うことによって支柱の断面を拡大するが、カバー材の数や形態は限定されず、支柱本体の少なくとも一側面を覆って支柱の断面を拡大するものであればよい。
【符号の説明】
【００１９】
１    ブロック
１ａ  設置穴
２    支柱
２１  支柱本体
２２  カバー材
３    スペーサー
６    横材
【図１】
2018119339.tif 000003
【図２】
2018119339.tif 000004
【図３】
2018119339.tif 000005
【図４】
2018119339.tif 000006
【図５】
2018119339.tif 000007
【図６】
2018119339.tif 000008
【図７】
2018119339.tif 000009
【図８】
2018119339.tif 000010